【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
セキュリティエレメント（１）を有する体積ホログラムフィルム（１ｆ）を形成するための方法であって、前記セキュリティエレメントは、前記体積ホログラムフィルム（１ｆ）の転写部として形成され、前記体積ホログラムフィルム（１ｆ）は、互いに重ね合わされたｎ枚の体積ホログラム層（１３）を有し、
前記体積ホログラムフィルム（１ｆ）の前記製造は、以下のステップによりロールツーロール方法で実施される
ａ）供給ローラ（３１）からキャリアフィルム（１１）を設けるステップ、
ｂ）前記キャリアフィルム（１１）にｉ番目のフォトポリマー層（１２）を塗布するステップ、
ｃ）前記フォトポリマー層（１２）にｉ番目の体積ホログラムを形成するステップ、
ｄ）前記ｉ番目のフォトポリマー層（１２）を硬化させることにより、ｉ番目の体積ホログラム層（１３ｉ）を形成するステップ、
ｅ）ステップｂ）〜ｄ）をｎ−１回繰り返すステップ。
【請求項２】
請求項１に記載の方法であって、
ステップｂ）において、フォトポリマーフィルム（１２ｆ）を押し付けることにより、前記フォトポリマー層（１２）が塗布され、
前記フォトポリマーフィルム（１２ｆ）は、供給ローラー（４１ｖ）に設けられ、及び／又は、
ステップｂ）において、印刷、吹き付け、又は、成型により、前記フォトポリマー層（１２）は、全面又は部分的に塗布されていることを特徴とする方法。
【請求項３】
請求項１又は２に記載の方法であって、
ステップｃ）において、前記ｉ番目の体積ホログラムは、レーザー露光により形成されていることを特徴とする方法。
【請求項４】
請求項１〜３のいずれかに記載の方法であって、
前記ｉ番目の体積ホログラム層（１２）は、ステップｃ）と、ステップｄ）との間で予備硬化し、ステップｄ）において完全に硬化することを特徴とする方法。
【請求項５】
請求項１〜４のいずれかに記載の方法であって、
背景層（１５）は、ｎ枚目の体積ホログラム層に塗布され、特に、接着層（１６）は、前記背景層（１５）に塗布されていることを特徴とする方法。
【請求項６】
請求項１〜５のいずれかに記載の方法であって、
接着層（１６）は、前記ｎ枚目の体積ホログラム層に塗布されていることを特徴とする方法。
【請求項７】
請求項１〜６のいずれかに記載の方法であって、
前記体積ホログラムフィルム（１ｆ）は、巻き取りローラ（３２）に巻き取られていることを特徴とする方法。
【請求項８】
請求項１〜７のいずれかに記載の方法であって、
転写フィルムに前記体積ホログラムフィルム（１ｆ）を形成するために、ステップｂ）の前に、以下のステップが行われることを特徴とする方法
‐分離層（１７ｔ）を塗布するステップ、
‐保護層（１７ｓ）を塗布するステップ。
【請求項９】
請求項１〜８のいずれかに記載の方法であって、
積層フィルムに前記体積ホログラムフィルム（１ｆ）を形成するために、ステップｂ）の前に、以下のステップが行われることを特徴とする方法
‐接着促進層を塗布するステップ。
【請求項１０】
請求項１〜９のいずれかに記載の方法であって、
ステップｂ）の後に、中間層（１７）は、前記フォトポリマー層（１２）に塗布され、特に、前記中間層（１７）は、バリア層又は接着促進層として形成され、及び／又は、装飾層として形成され、及び／又は、部分反射層として形成されていることを特徴とする方法。
【請求項１１】
請求項１〜１０のいずれかに記載の方法であって、
ステップｂ）の前に、以下の別のステップが行われ、
‐前記キャリアフィルム（１１）に第１及び第２中間層（１７ａ、１７ｂ）を塗布し、前記第２中間層（１７ｂ）は、複製層として形成されるステップ、
‐前記第２中間層（１７ｂ）にマイクロ構造を成型するステップ、
‐前記マイクロ構造に金属層（２０）を塗布するステップ、
‐第３中間層（１７ｃ）を塗布するステップ、
特に、前記マイクロ構造は、ブレーズド回折格子、線状若しくは交差正弦波回折構造、又は、等方性若しくは異方性艶消し構造として、形成されていることを特徴とする方法。
【請求項１２】
請求項１〜１１のいずれかに記載の方法であって、
前記背景層（１５）は、定色顔料又は着色剤からなるカラー層（１５ｆ）を有し、及び／又は、光学可変カラー層（１５ｏ）を有し、及び／又は、薄膜エレメント（１５ｄ）を有し、及び／又は、マスク層（１５ｍ）を有し、
特に、前記マスク層（１５ｍ）は、金属層（２０）として、全面又は部分的に形成され、中間層（１７ｄ）により覆われており、及び／又は、部分的に形成されたカラー層（１５ｆ）と、第１中間層（１７ｄ）と、金属層（２０）と、任意の第２中間層（１７ｅ）とを有し、
好ましくは、前記第１中間層（１７ｄ）は、複製層として形成され、
好ましくは、表面マイクロ構造は、前記第１中間層（１７ｄ）に成型され、
好ましくは、金属層（２０）は、前記表面マイクロ構造に塗布されていることを特徴とする方法。
【請求項１３】
請求項１〜１２のいずれかに記載の方法であって、
前記背景層（１５）は、吸収層（１５ａ）を有し、及び／又は、蛍光層（１５ｆｌ）を有し、及び／又は、リン光層（１５Ｐ）を有し、及び／又は、マイクロ構造層（１５ｓ）を有し、
特に、前記マイクロ構造層（１５ｓ）は、複製層として形成され、表面マイクロ構造は、前記複製層に成型され、金属層（２０）は、前記表面マイクロ構造に塗布され、
特に、好ましくは、前記金属層（２０）は、部分的に塗布され、及び／又は、
特に、前記マイクロ構造層（１５ｓ）は、複製層として形成され、表面マイクロ構造は、前記複製層に成型され、高屈折率を有するＨＲＩ層（２２）は、前記表面マイクロ構造に塗布されていることを特徴とする方法。
【請求項１４】
請求項１３に記載の方法であって、
前記表面マイクロ構造は、線状若しくは交差正弦波回折格子、非対称ブレーズド回折格子、等方性若しくは異方性艶消し構造、又は、表面ホログラムとして形成され、及び／又は、
前記表面マイクロ構造は、０．２μｍ〜１０μｍ、好ましくは０．５μｍ〜２．０μｍの範囲の周期と、３０ｎｍ〜５０００ｎｍ、好ましくは、１００ｎｍ〜３００ｎｍの範囲の深さと、を有することを特徴とする方法。
【請求項１５】
セキュリティドキュメント（１８）であって、
セキュリティエレメント（１）を有し、
前記セキュリティエレメントは、請求項１〜１４のいずれかに記載の体積ホログラムフィルム（１ｆ）から前記セキュリティドキュメント（１８）に転写されることを特徴とするセキュリティドキュメント。
【手続補正２】
【補正対象書類名】明細書
【補正対象項目名】００７７
【補正方法】変更
【補正の内容】
【００７７】
コーティング装置４１は、フォトポリマーフィルム１２ｆを受け取る供給ローラ４１ｖと、加圧ローラ４１ｗとを有する。フォトポリマー材料からなる自立フィルムとしてだけでなく、塗布された非自立フォトポリマー層１２を有するキャリアフィルムとして、フォトポリマーフィルム１２ｆを形成することができる。フォトポリマーフィルム１２ｆは、加圧ローラ４１ｗの間でコーティングされたキャリアフィルム１１に押し付けられている。
【手続補正３】
【補正対象書類名】明細書
【補正対象項目名】００８６
【補正方法】変更
【補正の内容】
【００８６】
第２コーティング装置４１ｂは、硬化装置４３ａの下流に配置されている。第２コーティングステーションにおいて、中間層は、多層体として形成されたキャリアフィルム１１に塗布される。その後、中間層を完全に硬化させるために、中間層は、ＵＶ光源４２ｕにより照射される。中間層に熱乾燥ニスが使用される場合は、ＵＶ光源４２ｕの代わりに乾燥機を設けることもできる。
【手続補正４】
【補正対象書類名】明細書
【補正対象項目名】００９４
【補正方法】変更
【補正の内容】
【００９４】
任意の分離層１７ｔ及び／又は任意の保護層１７ｓと、第１体積ホログラム層１３とによりコーティングされたキャリアフィルム１１は、露光装置４２の下流に配置された硬化装置４３に送られ、体積ホログラム層１３ａ（図２）を完全に硬化する。硬化装置４３は、ＵＶ光源４２ｕ（図３ａ）を有する。
【手続補正５】
【補正対象書類名】明細書
【補正対象項目名】０１３３
【補正方法】変更
【補正の内容】
【０１３３】
ドキュメント１８を垂直に観察した場合、第１モチーフ１４ａと、色Ｆ２とにより第１体積ホログラム層１３ａに形成された第１体積ホログラムは、第１位置で視認可能である。ドキュメント１８を第１傾斜角度で傾斜させた場合、第２モチーフ１４ｂと、色Ｆ３とを有する第２体積ホログラムは、第２位置で視認可能である。第１体積ホログラム層１３ａ又は第２体積ホログラム層１３ｂに、第２体積ホログラムを形成することができる。ドキュメント１８を第１傾斜角度より大きい第２傾斜角度で傾斜させた場合、第３モチーフ１４ｃと、色Ｆ４とを有する第３体積ホログラムは、第３位置で視認可能である。第１体積ホログラム層１３ａ、第２体積ホログラム層１３ｂ、又は、第３体積ホログラム層１３ｃに、第３体積ホログラムを形成することができる。背景層１５の色Ｆ１が、例えば、明るい黄色の場合、緑色の第１体積ホログラムは、この背景色Ｆ１の前でレモンのような黄色に見え、赤色の第２体積ホログラムは、明るいオレンジ色に見え、青色の第３体積ホログラムは緑色に見える。図１２に示す実施例と同じように、３つの体積ホログラムの色Ｆ１〜Ｆ３を同じにすることもできる。
【手続補正６】
【補正対象書類名】明細書
【補正対象項目名】０１４１
【補正方法】変更
【補正の内容】
【０１４１】
第１体積ホログラム層１３又は第２体積ホログラム層１３ｂに形成された第１体積ホログラムは、垂直に観察した場合、色Ｆ１、例えば、緑色に見える。ドキュメント１８を傾斜させた場合、第１体積ホログラムは、特定の傾斜角度で、色Ｆ２、例えば、赤色に見える。垂直に観察した場合、光学可変カラー層１５ｏの色Ｆ３が、例えば、薄紫色に見え、垂直に観察した場合、緑色の１体積ホログラムは、ターコイズ色に見える。光学可変カラー層１５ｏの色Ｆ４が、傾斜状態で、緑色又はオリーブのような緑色の場合、赤色の第１体積ホログラムは、傾斜状態で、オレンジ色に見える。
【手続補正７】
【補正対象書類名】明細書
【補正対象項目名】０１４３
【補正方法】変更
【補正の内容】
【０１４３】
第１モチーフ１４ａと、色Ｆ１とにより第１体積ホログラム層１３ａに形成された第１体積ホログラムは、垂直に観察した場合、第１位置で視認可能である。ドキュメント１８を縦軸に対して傾斜させた場合、第２モチーフ１４ｂと、色Ｆ２とを有する第２体積ホログラムは、第２位置で特定の傾斜角度により視認可能である。第１体積ホログラム層１３ａ又は第２体積ホログラム層１３ｂに、第２体積ホログラムを形成することができる。ドキュメント１８を更に傾斜させた場合、第３モチーフ１４ｃと、色Ｆ３とを有する第３体積ホログラムは、第３位置でより大きな傾斜角度により視認可能である。第１体積ホログラム層１３ａ、第２体積ホログラム層１３ｂ、又は、第３体積ホログラム層１３ｃに、第３体積ホログラムを形成することができる。図１６に示すように、体積ホログラムは同じ色を有することもできるが、異なる色を有することもできる。垂直に観察した場合、光学可変カラー層の色Ｆ４が薄紫色に見えると、緑色の第１体積ホログラムはターコイズ色に見える。特定の角度で傾斜させた場合、光学可変カラー層１５ｏは、色Ｆ５、例えば、茶色に見える。これにより、例えば、緑色の第２体積ホログラムは、黄土色に見える。一方、大きく傾斜させた状態で、光学可変カラー層１５ｏの色Ｆ６が緑色又はオリーブのような緑色であると、赤色の第３体積ホログラムは、オレンジ色に見える。
【手続補正８】
【補正対象書類名】明細書
【補正対象項目名】０１７３
【補正方法】変更
【補正の内容】
【０１７３】
金属層２０が全面ではなく部分的に塗布されると、ドキュメントの印刷画像は、カラー層１５ｆも金属層２０も有しない部分において視認可能のままとすることができる。
【手続補正９】
【補正対象書類名】明細書
【補正対象項目名】０１７４
【補正方法】変更
【補正の内容】
【０１７４】
反対に、上面に設けられた体積ホログラムは視認できない又はほとんど視認できない観察状況又は照射状況において、カラー層１５ｆ及び金属層２０は、特に視認可能である。
【手続補正１０】
【補正対象書類名】明細書
【補正対象項目名】０１７８
【補正方法】変更
【補正の内容】
【０１７８】
カラー層１５ｆが形成されていないが、金属層２０が形成された第４中間層１７ｄの部
分において、ドキュメントの表面は覆われ、金属化表面ホログラム又は金属化ミラー表面
は、体積ホログラムの下で見える。
【手続補正１１】
【補正対象書類名】明細書
【補正対象項目名】０１９７
【補正方法】変更
【補正の内容】
【０１９７】
図３２に示す実施例では、窓１８ｆは、ドキュメント１８の透明部分として形成されている。例えば、ポリマー紙幣の透明部分として、又は、紙幣の穴として、窓１８ｆを形成することができる。更に、それを、例えば、ＩＤカードの透明部分とすることもできる。ＩＤカードは、ポリカーボネイト等からなる。塗布状況に応じて、転写フィルム又は積層フィルムとして、体積ホログラムフィルム１ｆを、窓１８ｆの塗布のために形成することができる。ドキュメント１８の透明部分における視覚特徴を異なって形成することができ、３つのグループに分割可能である。
・反射により視認可能であり、ドキュメント１８の上面を観察したとき視認可能な特徴。
・反射により視認可能であり、ドキュメント１８の裏面を観察したとき視認可能な特徴。
・透過により視認可能であり、即ち、ドキュメント１８を光源の前で保持したとき視認可能な特徴。
【手続補正１２】
【補正対象書類名】明細書
【補正対象項目名】０２２４
【補正方法】変更
【補正の内容】
【０２２４】
図４３は、体積ホログラムの製造原理を示す。体積ホログラムマスター９は、キャリアフィルム１１に接触する。キャリアフィルム１１は、分離層１７ｔ、保護層１７ｓ、中間層１７、フォトポリマー層１２により覆われている。体積ホログラムマスター９と、コーティングされたキャリアフィルム１１とは、搬送方向ｖに沿って案内される。積層フィルムの場合、分離層１７ｔは設けられていない。粘性フォトポリマー層として、フォトポリマー層１２を塗布することができる。ＵＶ光により、印刷中又はその直後に移動フォトポリマー層を予備硬化することができる。その結果、別の処理の最適な粘度が設定される。フォトポリマー層１２の露光のために、レーザーが設けられている。レーザーは、体積ホログラムマスター９に向けられたレーザービーム７ｌを出射する。レーザービーム７ｌが当たる角度を、テストにより最適化することができ、垂直に対して、例えば、１４°とすることができる。
【手続補正１３】
【補正対象書類名】明細書
【補正対象項目名】０２３０
【補正方法】変更
【補正の内容】
【０２３０】
図４５は、セキュリティエレメント１が形成されたドキュメント１８の第１２実施例を示す。図４５のドキュメント１８は、図３９に示すドキュメント１８と同様に形成されている。これらの違いは、図４５のドキュメント１８では、第２体積ホログラムは、色Ｆ２の第２モチーフ１４ｂと、色Ｆ３の第３モチーフ１４ｃとを有する２つ折りフリップとして形成されていることである。左に回転させた場合、第２モチーフ１４ｂ、例えば、文字「Ａ」は見え、右に回転させた場合、第３モチーフ、例えば、文字「Ｂ」は見える。第２モチーフ１４ｂ及び第３モチーフ１４ｃは、それぞれの場合において、特に狭い角度範囲でのみ視認可能である。一方、傾斜させた場合及び中心位置では、第１モチーフ１４ａのみが視認可能である。第１及び第２体積ホログラムを同じ体積ホログラム層に形成することができるが、異なる２つの体積ホログラム層に形成することが好ましい。